(57)【要約】
【課題】　特に高強度で、且つフィーリング性及びコントロール性に優れたゴルフクラブヘッドを提供する。
【解決手段】　本考案のゴルフクラブヘッドは、側端上縁にホーゼル１１が設けられると共に、周縁に周縁部１２が設けられた軽合金製の略カップ状の打撃面板１０と、繊維プリプレグ材を金型により曲げ加工し、相互の周縁が相対する形状の上部カバー２１とフレーム体２２とを互いに組合わせて成るカバー体２０と、前記フレーム体２２の底部に形成した開口２３に装着される金属製の底板３０と、該底板３０に形成された固定孔３２を有する気孔座３１と、該固定孔３２内に固設されるウエイト部材３３とを有する構成とした。
【選択図】図１
0003099604.tif 000002
【実用新案登録請求の範囲】
【請求項１】
側端上部にホーゼル１１が設けられると共に、一方に周縁部１２が設けられ、且つ他方に打撃面１３が形成された軽合金製の略カップ状の打撃面板１０と、
　繊維プリプレグ材を金型により曲げ加工により相互の周縁が対応する形状に形成された上部カバー２１とフレーム体２２とを組合わせ結合してなるカバー体２０と、
　前記フレーム体２２の底部に形成した開口２３に装着される金属製の底板３０と、
　該底板３０に形成された固定孔３２を有する気孔座３１に装着されるウエイト部材３３とからなることを特徴とするゴルフクラブヘッド。
【請求項２】
前記カバー体２０に適用される繊維プリプレグ材は、繊維に樹脂を含浸させたものであることを特徴とする請求項１に記載のゴルフクラブヘッド。
【請求項３】
前記繊維は、炭素繊維、ガラス繊維、ケブラー繊維、ホウ素繊維、チタン繊維、銅繊維及びアルミ繊維から選ばれたものであることを特徴とする請求項２に記載のゴルフクラブヘッド。
　
　
　
　
　
　
　
　
　
　
【考案の詳細な説明】
【技術分野】
【０００１】
　本考案は、特に高強度で、且つフィーリング性及びコントロール性に優れたゴルフクラブヘッドに関するものである。
【背景技術】
【０００２】
　図３に示すような、従来のゴルフクラブヘッド６は、主に金属素材を一体鋳造により成形したもの、或いは複数の鍛造部材を溶接により組合わせた構成のもの、さらには複合材をプレス成形して構成したゴルフクラブヘッドなどが知られている。
【考案の開示】
【考案が解決しようとする課題】
【０００３】
　しかし、これら従来のゴルフクラブヘッド６は、ウエイトの調整が難しく、体積が小さいなどの欠点があった。
　また、前記クラブヘッド６は、繊維から成る複合材の上部カバー６３と金属素材のクラブヘッド打撃面６０との結合強度が弱いことから、プレイヤーが力強くショットすると、クラブヘッド打撃面６０が受けた衝撃力が瞬間的に繊維から成る上部カバー６３に伝わって、結合部に亀裂が入り、音質や耐久性に悪影響を及ぼしてしまう。
　これを改良するためには、打撃面６０の上方及び側部に補強層を被着し、クラブヘッド底面６２の周囲に固定ロッド（図示すせず）を設けると共に、打撃面６０の内縁と底面６２の結合部との間に緩衝補強ロッド（図示せず）を設ける必要がある。
【課題を解決するための手段】
【０００４】
　本考案の請求項１のゴルフクラブヘッドは、側端上部にホーゼル１１が設けられると共に、一方に周縁部１２が設けられ、且つ他方に打撃面１３が形成された軽合金製の略カップ状の打撃面板１０と、繊維プリプレグ材を金型により曲げ加工により相互の周縁が対応する形状に形成された上部カバー２１とフレーム体２２とを組合わせ結合してなるカバー体２０と、前記フレーム体２２の底部に形成した開口２３に装着される金属製の底板３０と、該底板３０に形成された固定孔３２を有する気孔座３１に装着されるウエイト部材３３とからなることを特徴とする。
【０００５】
　請求項２の考案は、前記請求項１に記載したゴルフクラブヘッドにおいて、　前記カバー体２０に適用される繊維プリプレグ材は、繊維に樹脂を含浸させたものであることを特徴とする。
【０００６】
　請求項３の考案は、前記請求項２に記載したゴルフクラブヘッドにおいて、　前記繊維は、炭素繊維、ガラス繊維、ケブラー繊維、ホウ素繊維、チタン繊維、銅繊維及びアルミ繊維から選ばれたものであることを特徴とする。
【考案の効果】
【０００７】
　本考案は、次に示すような効果を達成できる。
　・　本考案のゴルフクラブヘッドは、接着シートにより軽合金製の略カップ状の打撃面板、カバー体及び底板の相互結合部を内面側で固着しているため、力強いショットをした場合であっても、打撃面の受けた衝撃を周縁部が吸収して、繊維から成るカバー体に伝わる力を、緩衝可能としているので、力強いショットによるカバー体の亀裂の発生を防止でき、結果的にフィーリング性やコントロール性を向上させることができる。
　・　本考案の複合材から成る単層式のゴルフクラブヘッドは、様々な材料から成る複合体であるので、クラブヘッドにおけるウエイト及び重心の調整をフレキシブルに行なうことができる。
【考案を実施するための最良の形態】
【０００８】
　以下、添付図面を参照して本考案の好適な実施の形態を詳細に説明する。
【実施例】
【０００９】
　図１は本考案に係るゴルフクラブヘッドの分解斜視図であり、図２は本考案に係るゴルフクラブヘッドの組立て構成を示す断面図である。
　図１及び図２に示すように、本考案のゴルフクラブヘッド６は、打撃面板１０、カバー体２０、底板３０及びウエイト部材３３からなる。
【００１０】
　前記打撃面板１０は軽合金から形成されると共に、ほぼカップ状を呈し、その側端上縁にホーゼル１１が設けられ、一方の前側部には打撃部１３が、また他方の後部側には周縁部１２が設けられている。
　前記カバー体２０は、相互に対応する周縁部２１ａ，２２ａがそれぞれ相対するように形成され、上部カバー２１及びフレーム体２２の対向周縁部２１ａ，２２ａを互いに固着する。
　前記フレーム体２２の底部には貫通形成した開口２３が形成されおり、該開口２３には後述の底板３０が装着されるようになっている。
　また、該上部カバー２１とフレーム体２２は繊維プリプレグ材から形成されており、その繊維プリプレグ材は炭素繊維、ガラス繊維、ケブラー繊維、チタン繊維、銅繊維、或いはアルミ繊維に樹脂を含浸させてなるものが使用可能である。
【００１１】
　前記底板３０は、金属素材から形成されると共に、気孔座３１が設けられ、その気孔座３１内には貫通する固定孔３２が形成されている。
　前記ウエイト部材３３は、前記底板３０に形成した気孔座３１の固定孔３２に螺合固設されるものである。
【００１２】
　なお、符号３４は接着シートで、前記カバー体２０の上部カバー２１，底板３０および打撃面板１０の結合部分である周縁部の内面側に接着固定されたものである。
【００１３】
　以上のように構成された本考案のゴルフクラブにおける実施例においては、略カップ形の打撃面板１０を有し、その周縁部はショット時に打撃面板１０の打撃部１３が受ける衝撃を吸収できる構成としたので、繊維からなる上部カバー２１及びフレーム体２２と、打撃面板１０との結合固着部においての亀裂の発生を防止できる。
【００１４】
　また、本考案では、打撃面板１０、底板３０及びカバー体２０はそれぞれ独立した部材であることから、打撃面板１０を大型にしても、底板３０のサイズを大きくする必要はないので、ウエイトの軽量化を図りながらクラブヘッドの大型化を達成することができる。
【００１５】
　さらに、本考案に係るゴルフクラブヘッドは、軽合金から成る略カップ形の打撃面板１０、繊維から成るカバー体２０、底板３０及び底板３０内に設置されるウエイト部材３３を有し、前記打撃面板１０の周縁に周縁部が設けられ、カバー体２０における上部カバー２１及びフレーム体２２は、それぞれ繊維プリプレグにより形成されて、互いに結合固定されると共に、カバー体における前端の開口内周縁及びフレーム体の下側に形成され、結合部の内面に接着シート３４が設けられているので、強度，フィーリング性及びコントロール性に優れたゴルフクラブヘッドを得ることができる。
【図面の簡単な説明】
【００１６】
【図１】本考案に係るゴルフクラブヘッドの実施例を示す分解斜視図である。
【図２】図１に示す実施例のゴルフクラブを組立てた状態を示す断面図である。
【図３】従来のゴルフクラブヘッドの斜視図である。
【符号の説明】
【００１７】
　１０　　　　打撃面板
　１１　　　　ホーゼル
　１２　　　　周縁部
　１３　　　　打撃部
　２０　　　　カバー体
　２１　　　　上部カバー
　２２　　　　フレーム体
　２３　　　　開口
　３０　　　　底板
　３１　　　　気孔座
　３２　　　　固定孔
　３３　　　　ウエイト部材
　３４　　　　接着シート
　６　　　　　クラブヘッド
　６０　　　　打撃面
　６１　　　　ホーゼル
　６２　　　　底面
　６３　　　　上部カバー
【図１】
0003099604.tif 000003
【図２】
0003099604.tif 000004
【図３】
0003099604.tif 000005